(57)【要約】【課題】　光ピックアップ及びこれを採用した光記録及び／または再生機器を提供する。【解決手段】　記録媒体に情報を記録及び／または記録媒体に記録されている情報を再生するために、光源から出射された光を対物レンズに集束して記録媒体に照射する光ピックアップ。前記光ピックアップは光源から出射されて対物レンズ側に進行する光の収束及び／または発散を調節するための光学素子を具備する。これにより、別途の光学素子を利用して光の収束及び／または発散を調節するために、組立て工程が簡単で、かつ光の収束及び／または発散調節が容易である。【選択図】　図２
2004079163.tif 000002
【特許請求の範囲】
【請求項１】
　記録媒体に情報を記録及び／または記録媒体に記録されている情報を再生するために、光源から出射された光を対物レンズに集束して記録媒体に照射する光ピックアップにおいて、
　前記光源から出射されて対物レンズ側に進行する光の収束及び／または発散を調節するための光学素子を具備することを特徴とする光ピックアップ。
【請求項２】
　前記光学素子は入射される光の収束及び／または発散を調節できるホログラム素子であることを特徴とする請求項１に記載の光ピックアップ。
【請求項３】
　コリメーティングレンズをさらに具備し、前記光源から出射されて前記コリメーティングレンズと前記光学素子とを経由した光を平行光にすることを特徴とする請求項１に記載の光ピックアップ。
【請求項４】
　前記コリメーティングレンズは１４ｍｍ以下の焦点距離を有することを特徴とする請求項３に記載の光ピックアップ。
【請求項５】
　スリム型構造よりなることを特徴とする請求項１ないし４のうちいずれか１項に記載の光ピックアップ。
【請求項６】
　前記光学素子は前記光源と前記コリメーティングレンズとの間に位置することを特徴とする請求項３または４に記載の光ピックアップ。
【請求項７】
　前記コリメーティングレンズと対物レンズとの間に光ビームの形態を整形するためのビーム整形デバイスをさらに具備することを特徴とする請求項３、４及び６のうちいずれか１項に記載の光ピックアップ。
【請求項８】
　前記光源は相異なる波長の光を出射する複数の光源を具備し、前記光学素子は前記複数の光源のうち少なくとも一つの光源から出射された光の収束及び／または発散を調節するための少なくとも一つの光学素子を具備して、フォーマットの相異なる複数の記録媒体を互換採用できることを特徴とする請求項１ないし４のうちいずれか１項に記載の光ピックアップ。
【請求項９】
　光源から出射された光を対物レンズに集束して記録媒体に照射する光ピックアップを利用して、記録媒体に情報を記録及び／または記録媒体に記録されている情報を再生する光記録及び／または再生機器において、
　前記光ピックアップは、
　前記光源から出射されて対物レンズ側に進行する光の収束及び／または発散を調節するための光学素子を具備することを特徴とする光記録及び／または再生機器。
【請求項１０】
　前記光学素子は入射される光の収束及び／または発散を調節できるホログラム素子であることを特徴とする請求項９に記載の光記録及び／または再生機器。
【請求項１１】
　前記光ピックアップはコリメーティングレンズをさらに具備し、前記光源から出射されて前記コリメーティングレンズと前記光学素子とを経由した光を平行光にすることを特徴とする請求項９に記載の光記録及び／または再生機器。
【請求項１２】
　前記コリメーティングレンズは１４ｍｍ以下の焦点距離を有することを特徴とする請求項１１記載の光記録及び／または再生機器。
【請求項１３】
　前記光ピックアップはスリム型構造よりなることを特徴とする請求項９ないし１２のうちいずれか１項に記載の光記録及び／または再生機器。
【請求項１４】
　前記光学素子は前記光源と前記コリメーティングレンズ間に位置することを特徴とする請求項１１または１２に記載の光記録及び／または再生機器。
【請求項１５】
　前記光ピックアップは前記コリメーティングレンズと対物レンズとの間に光ビームの形態を整形するためのビーム整形デバイスをさらに具備することを特徴とする請求項１１、１２及び１４のうちいずれか１項に記載の光記録及び／または再生機器。
【請求項１６】
　前記光源は相異なる波長の光を出射する複数の光源を具備し、前記光学素子は前記複数の光源のうち少なくとも一つの光源から出射された光の収束及び／または発散を調節するための少なくとも一つの光学素子を具備して、フォーマットの相異なる複数の記録媒体を互換採用できることを特徴とする請求項９ないし１２のうちいずれか１項に記載の光記録及び／または再生機器。
【請求項１７】
　光を出射する光源と、
　前記光源から出射された光を集束して光ディスク上に照射する対物レンズと、
　前記光源から出射された光を平行光に変えるコリメーティングレンズと、
　光の収束及び／または発散を調節してコリメーティングレンズを通過して対物レンズに進行する光を平行光または平行光に近い光にする光学素子と、を含むことを特徴とする光ピックアップ。
【請求項１８】
　前記光源は、所定波長を有する光を出射するエッジ発光レーザーまたは表面発光レーザーを具備することを特徴とする請求項１７に記載の光ピックアップ。
【請求項１９】
　光路変換デバイスをさらに具備し、前記コリメーティングレンズは前記光源と光路変換デバイスとの間または前記光路変換デバイスと対物レンズとの間に配置されて、前記光源から出射される発散光を集束して平行光に変えることを特徴とする請求項１７に記載の光ピックアップ。
【請求項２０】
　前記コリメーティングレンズは１４ｍｍ以下の短い焦点距離を有することを特徴とする請求項１７に記載の光ピックアップ。
【請求項２１】
　前記光学素子は前記光源とコリメーティングレンズとの間に配置されたホログラム素子を具備することを特徴とする請求項１７に記載の光ピックアップ。
【請求項２２】
　前記光源は６５５ｎｍ波長を有する光を出射し、前記対物レンズは０．６または０．６５の開口数を有することを特徴とする請求項１７に記載の光ピックアップ。
【請求項２３】
　光路変換デバイスをさらに具備して、前記光学素子とコリメーティングレンズとは前記光源と光路変換デバイスとの間に配置されることを特徴とする請求項１７に記載の光ピックアップ。
【請求項２４】
　前記光路変換デバイスはプレートビームスプリッタを具備することを特徴とする請求項２３に記載の光ピックアップ。
【請求項２５】
　前記光学素子とコリメーティングレンズとを経由した後に平行光に変わった光の経路上に配置されて、ビーム整形を行うビーム整形デバイスをさらに具備することを特徴とする請求項２４に記載の光ピックアップ。
【請求項２６】
　前記コリメーティングレンズ及びビーム整形デバイスは前記光源とプレートビームスプリッタとの間に配置されて、光ディスクで反射されてプレートビームスプリッタを通過した光をビーム整形された状態の平行光にすることを特徴とする請求項２５に記載の光ピックアップ。
【請求項２７】
　３ビーム法を使用してトラックキングエラー信号を検出するように、前記光源から出射された光を少なくとも３つの光に分離するグレーティングをさらに具備することを特徴とする請求項２６に記載の光ピックアップ。
【請求項２８】
　前記コリメーティングレンズ及びビーム整形デバイスは前記プレートビームスプリッタと対物レンズ間に配置されて、光ディスクで反射されてプレートビームスプリッタを通過した光を収束光にすることを特徴とする請求項２７に記載の光ピックアップ。
【請求項２９】
　光検出器と、
　前記光検出器上に光スポットを形成し、前記プレートビームスプリッタと光検出器との間に配置され、前記光ディスクで反射された光が前記プレートビームスプリッタを通過する時に発生したコマ収差を除去するために、前記プレートビームスプリッタが傾いた方向と反対に傾いた凹レンズと、をさらに具備することを特徴とする請求項２８に記載の光ピックアップ。
【請求項３０】
　前記グレーティング及び光学素子は互いに分離設置されたことを特徴とする請求項２７に記載の光ピックアップ。
【請求項３１】
　前記グレーティング及び光学素子は単一体に形成されたことを特徴とする請求項２７に記載の光ピックアップ。
【発明の詳細な説明】
【技術分野】
【０００１】
　本発明は光ピックアップ及びこれを採用した光記録及び／または再生機器に係り、より詳細には光の収束及び／または発散を調節できる光ピックアップ及びこれを採用した光記録及び／または再生機器に関する。
【背景技術】
【０００２】
　図１を参照すれば、光源１、例えば、半導体レーザーから発散光形態に出射された光はコリメーティングレンズ３により平行光に変わる。
【０００３】
　光源１から出射された光がコリメーティングレンズ３をすぎながら平行光になるためには、光源１の半導体レーザーの発光点とコリメーティングレンズ３との間の距離がコリメーティングレンズ３のフランジバック距離にならなければならない。ここで、厚いコリメーティングレンズ３の場合、焦点距離がレンズ中間までの距離になるので、焦点距離を定義し難い。したがって、一般的に機構的な距離を称する時はフランジバックという用語を使用する。コリメーティングレンズ３のフランジバック距離とは、光源の発光点とコリメーティングレンズとの間の中間に光学部品がない場合の背面焦点距離に該当する。光源の発光点とコリメーティングレンズ３との間に光学部品がある場合とない場合いずれもフランジバック距離という用語を使用できる。
【０００４】
　図１に示したように、光源１の発光点とコリメーティングレンズ３との間の距離がコリメーティングレンズ３のフランジバック距離より長くなれば、コリメーティングレンズ３をすぎた光は収束する。光源１の発光点とコリメーティングレンズ３との間の距離がコリメーティングレンズ３のフランジバック距離より短くなれば、コリメーティングレンズ３をすぎた光は発散される。
【０００５】
　このように、光源１の発光点とコリメーティングレンズ３間の距離は光の収束及び発散に影響を与える。
【０００６】
　光ピックアップはいろいろな光学部品よりなるために、光学部品を光学的に整列して組立てる時、光学部品自体の製造公差及び光学部品間の組立て公差が存在し、このような公差は光ピックアップ光学系全体にわたって累積されて光学収差で現れる。
【０００７】
　長い焦点距離を有するコリメーティングレンズ３を適用する光ピックアップ組立て時には、光学部品の組立てのために機構的な構造物上の所定位置に光学部品を配置して接着剤などを利用して固定させる過程を通じて光学部品を組立てても、平行度が許容可能な範囲内の値になる組立て公差限界を満たすために、光源１とコリメーティングレンズ３との間の間隔を調整する過程が不要である。
【０００８】
　一方、ノート型パソコン用光記録及び／または再生機器のようにスリム型光ピックアップを必要とする場合には、スリム型の機構的距離を満たすために、通常焦点距離が短いレンズをコリメーティングレンズとして利用する。このように、短い焦点距離を有するコリメーティングレンズ３を適用する光ピックアップでは、光源１の発光点とコリメーティングレンズ３との間の間隔がコリメーティングレンズ３のフランジバック距離から少しでも外れれば平行度が大きく悪くなるので、組立て公差のさらに厳しい管理を必要とする。すなわち、スリム型光ピックアップのように、短い焦点距離を有するコリメーティングレンズ３を適用した光ピックアップは収束及び／または発散管理、例えば、平行光管理が必要である。
【０００９】
　一方、光源１から出射された光ビームの形態を整形するためのビーム整形デバイスを使用する光ピックアップの場合にも、平行光ではない収束または発散光がビーム整形素子に入る場合に光学収差が大きく悪化する恐れがある。したがって、ビーム整形デバイスを適用した光ピックアップの場合にも、光の収束及び／または発散管理、すなわち、平行光管理が必要である。
【００１０】
　したがって、例えば、相対的に短い焦点距離を有するコリメーティングレンズ３を適用したり、ビーム整形素子を適用して収束及び発散による収差発生影響度が大きい光学系の場合のように特別な収差特性管理を必要とする光ピックアップでは、光学収差が許容可能な範囲内の値になる組立て公差限界を満足するように光ピックアップを組立てるために、組立て段階でコリメーティングレンズ３を通過した光が平行光またはより平行光に近い光になるように管理する。
【００１１】
　このような平行光管理は、機構的な構造物上の所定位置に光学部品を配置し、例えば、光源１は位置固定させた状態でコリメーティングレンズ３の位置を光軸に沿って調節して光源１の発光点とコリメーティングレンズ３との間の間隔を調節することによってなされる。
【００１２】
　ところで、前記のような平行光管理のためにコリメーティングレンズ３を光軸に沿って調節することは、光ピックアップの組立て工程を複雑にする。なぜなら、コリメーティングレンズ３の光軸に沿う位置調節が、コリメーティングレンズ３の中心軸が前記光軸と並んで前記光軸と一致した状態でなされなければならないからである。実際に、コリメーティングレンズ３を光軸に一致させたままで移動させることは難しい作業である。したがって、コリメーティングレンズ３の位置を調節して光の収束及び／または発散を調節する作業は光ピックアップ組立て工程を複雑にし、かつコストアップを招く。
【発明の開示】
【発明が解決しようとする課題】
【００１３】
　本発明は前記のような問題点を改善するために案出されたものであって、光の収束及び／または発散調節をより容易に行える光ピックアップ及びこれを採用した光記録及び／または再生機器を提供することにその目的がある。
【課題を解決するための手段】
【００１４】
　前記目的を達成するために本発明は、記録媒体に情報を記録及び／または記録媒体に記録されている情報を再生するために、光源から出射された光を対物レンズに集束して記録媒体に照射する光ピックアップにおいて、前記光源から出射されて対物レンズ側に進行する光の収束及び／または発散を調節するための光学素子を具備することを特徴とする。
【００１５】
　前記目的を達成するために本発明は、光源から出射された光を対物レンズに集束して記録媒体に照射する光ピックアップを利用して、記録媒体に情報を記録及び／または記録媒体に記録されている情報を再生する光記録及び／または再生機器において、前記光ピックアップは、前記光源から出射されて対物レンズ側に進行する光の収束及び／または発散を調節するための光学素子を具備することを特徴とする。
【００１６】
　ここで、前記光学素子は入射される光の収束及び／または発散を調節できるホログラム素子である。
【００１７】
　本発明によれば、本発明の光ピックアップはコリメーティングレンズをさらに具備し、前記光源から出射されて前記コリメーティングレンズと前記光学素子とを経由した光を平行光にする。
　この時、前記コリメーティングレンズは１４ｍｍ以下の焦点距離を有する。
【００１８】
　本発明の光ピックアップはスリム型構造よりなる。
【００１９】
　前記光学素子は前記光源と前記コリメーティングレンズとの間に位置する。
【００２０】
　本発明の光ピックアップは前記コリメーティングレンズと対物レンズとの間に光ビームの形態を整形するためのビーム整形デバイスをさらに具備する。
【００２１】
　本発明によれば、前記光源は相異なる波長の光を出射する複数の光源を具備し、前記光学素子は前記複数の光源のうち少なくとも一つの光源から出射された光の収束及び／または発散を調節するための少なくとも一つの光学素子を具備して、フォーマットの相異なる複数の記録媒体を互換採用できる。
【００２２】
　前記目的を達成するために本発明による光ピックアップは、光を出射する光源と、前記光源から出射された光を集束して光ディスク上に照射する対物レンズと、前記光源から出射された光を平行光に変えるコリメーティングレンズと、光の収束及び／または発散を調節してコリメーティングレンズを通過して対物レンズに進行する光を平行光または平行光に近い光にする光学素子と、を含むことを特徴とする。
【発明の効果】
【００２３】
　本発明によれば、別途の光学素子を利用して光の収束及び／または発散を調節するために、組立て工程が簡単で、かつ光の収束及び／または発散調節が容易である。
【発明を実施するための最良の形態】
【００２４】
　本発明による光記録及び／または再生機器は、光源から出射された光を対物レンズに集束して記録媒体に照射し、記録媒体に情報を記録及び／または記録媒体に記録されている情報を再生するために以下に説明する光ピックアップを利用する。
【００２５】
　図２は、本発明の望ましい第１実施例による光ピックアップの主要構成を概略的に示した図面である。
【００２６】
　図面を参照すれば、本発明の第１実施例による光ピックアップは光源１１と、前記光源１１から出射された光を集束して光ディスク１０に照射するための対物レンズ１９と、光源１１から出射された光を平行光に変換するためのコリメーティングレンズ１５と、光の収束及び／または発散を調節するための光学素子１３とを含み、光ディスク１０に情報を記録及び／または光ディスク１０に記録されている情報を再生するために使われる。ここで、参照番号１７は反射ミラーである。
【００２７】
　前記光源１１には、所定波長の光を出射するエッジ発光レーザーや表面発光レーザーのような半導体レーザーを具備する。
【００２８】
　このように前記光源１１に半導体レーザーを具備する場合には、前記光源１１から発散光が出射される。
【００２９】
　前記コリメーティングレンズ１５は光源１１から発散光の形態に出射されて入射される光を集束して平行光に変換するためのものであって、光源１１と光路変換デバイスとの間に配置されたり光路変換デバイスと対物レンズ１９との間に配置される。
【００３０】
　本発明の第１実施例において、前記コリメーティングレンズ１５は本発明による光ピックアップがスリム型になるように、短い焦点距離、例えば、１４ｍｍ以下の焦点距離を有する。
【００３１】
　本発明による光ピックアップにおいて、光の収束及び／または発散調節は別途の光学素子１３によりなされるので、前記コリメーティングレンズ１５は本発明の第１実施例による光ピックアップをなす光学部品を組立てる段階で、機構的な構造物上の所定位置に固定される。
【００３２】
　前記光学素子１３は、光の収束及び／または発散を調節してコリメーティングレンズ１５を経由して対物レンズ１９側に進行する光が平行光または平行光に近い光となって平行度が許容範囲内の値になるようにする。この光学素子１３は光源１１とコリメーティングレンズ１５との間に位置する。
【００３３】
　前記光学素子１３には、入射される光の収束及び／または発散を調節できるホログラム素子を具備できる。例えば、前記光学素子１３として、図３に示したようなホログラムパターン構造を有するホログラム素子を具備すれば、このようなパターン構造のホログラム素子はレンズの役割をしてホログラム素子の位置を光軸に沿って動かして光の収束及び／または発散を調節できる。
【００３４】
　前記のように光の収束及び／または発散を調節するための別途の光学素子１３を具備する本発明による光ピックアップでは、光ピックアップをなす光学部品を組立てる段階でコリメーティングレンズ１５を機構的な構造物上の所定位置に固定させ、かつ光学素子１３を光軸に沿って調節して光の収束及び／または発散を調節する。
【００３５】
　従来のシステムのようにコリメーティングレンズ１５を調節して光の収束及び／または発散を調節する代わりに、本発明による光ピックアップのように、光学素子１３としてホログラム素子を具備して光の収束及び／または発散を調節すれば、光ピックアップの組立て工程が従来のコリメーティングレンズ１５を調節する場合に比べて非常に簡単である。
【００３６】
　これは、本発明による光ピックアップの光学素子１３として使われるホログラム素子を一般的な光学レンズに比べて光学的な整列誤差に非常に鈍感に設計できるために、光学素子１３の光軸に沿う位置を調節して平行光を調節することが、コリメーティングレンズ１５を光軸に沿って動かして平行光を調節することに比べて容易であるからである。
【００３７】
　一方、本発明の第１実施例による光ピックアップは、光路を変換するための光路変換デバイス（図示せず）及び光ディスク１０の記録面で反射された光を受光する受光光学系（図示せず）をさらに具備する。
【００３８】
　図２では、本発明の第１実施例による光ピックアップが例えば、１４ｍｍ以下の短い焦点距離を有するコリメーティングレンズ１５を具備して、スリム型に適した構造であることを示すために、便宜上光路変換デバイス及び受光光学系の図示を省略した。
【００３９】
　本発明の第１実施例による光ピックアップに適用される光路変換デバイス及び受光光学系は、後述する本発明の第２及び第３実施例による光ピックアップの光路変換デバイス及び受光光学系である。ここでは光路変換デバイス及び受光光学系に関するより詳細な説明及び図示を省略する。
【００４０】
　一方、光源１１の出射光波長、光源１１の数及び対物レンズ１９の開口数は本発明による光ピックアップが適用される光記録及び／または再生機器によって適切に変形できる。
【００４１】
　例えば、本発明による光ピックアップは単一光源及び適正開口数の対物レンズを具備して、いずれか一系列の光ディスクまたはフォーマットが相異なる複数の光ディスク、すなわち、複数系列の光ディスクを互換採用するように構成されることもある。
【００４２】
　具体的な例として、図４及び図５を参照すれば、本発明による光ピックアップは例えば、６５５ｎｍ波長の光を出射する単一光源１１と、０．６または０．６５の開口数を有する対物レンズ１９とを具備して、ＤＶＤ系列の光ディスクまたはＤＶＤ系列の光ディスク及びＣＤ系列の光ディスクを互換採用するように構成される。図４及び図５で、図２と同一または類似した機能をする部材は図２と同一の参照符号で表示して反復的な説明は省略する。
【００４３】
　図４は本発明の第２実施例による光ピックアップの光学的構成を示すものであって、光学素子１３及びコリメーティングレンズ１５が光源１１と光路変換デバイスであるプレート型ビームスプリッタ２３との間に配置され、光ビームの形態を整形するためのビーム整形デバイス２１を具備した点に特徴がある。
【００４４】
　前記ビーム整形デバイス２１は前記光学素子１３及びコリメーティングレンズ１５により平行光に変換された光の経路上に配置される。
【００４５】
　図４に示したように、コリメーティングレンズ１５及びビーム整形デバイス２１が光源１１と光路変換デバイスとの間に位置する場合には、光ディスク１０で反射されて光路変換デバイスを経由して受光部側に進行する光もまたビーム整形された状態であり、かつ平行光である。
【００４６】
　したがって、この場合には図４に示したように、光路変換デバイスと光検出器２９との間には平行光を集束するための集束レンズ２５と、光検出器２９に適正サイズの光スポットに受光させる凹レンズ２７とが配置される。
【００４７】
　図４でグレーティング２２は、３ビーム法によるトラックキングエラー信号を検出できるように光源１１から出射された光を少なくとも３つのビームに分岐させる。
【００４８】
　図５は本発明の第３実施例による光ピックアップの光学的構成を示すものであって、光学素子１３は光源１１と光路変換デバイスであるプレート型ビームスプリッタ２３との間に配置される。特に、コリメーティングレンズ１５及びビーム整形デバイス２１は光路変換デバイスと対物レンズ１９との間に配置される。ここで、図４と同一参照符号は同一または類似した機能をする実質的に同じ部材を表す。
【００４９】
　図５に示したように、コリメーティングレンズ１５及びビーム整形デバイス２１がプレート型ビームスプリッタ２３と対物レンズ１９間に配置される場合には、光ディスク１０で反射されて光路変換デバイスを経由して受光部側に進行される光は収束光である。
【００５０】
　したがって、この場合には図５に示したように、プレート型ビームスプリッタ２３と光検出器２９との間には、光検出器２９に適正サイズの光スポットとして受光させる凹レンズ２７だけが配置される。
【００５１】
　図５のような光学的配置を有し、光路変換デバイスとしてプレート型ビームスプリッタ２３を具備する場合には、光ディスク１０で反射して進行する光にプレート型ビームスプリッタ２３を透過させながら発生したコマ収差を消去できるように、前記凹レンズ２７はプレート型ビームスプリッタ２３と反対方向に傾いて配置される。
【００５２】
　一方、本発明による光ピックアップは相異なる波長の光を出射する複数の光源と、複数の光源から各々出射された光の収束及び／または発散を調節するための複数の光学素子とを具備して、フォーマットが相異なる複数の光ディスクすなわち、複数系列の光ディスクを互換採用するように設けられる。
【００５３】
　具体的な例として、図６は本発明の第４実施例による光ピックアップを示す。図６を参照すれば、本発明の第４実施例による光ピックアップは、相異なる波長の光を出射する第１及び第２光源３１ａ、３１ｂと、一つの光検出器２９及び一つの対物レンズ１９とを具備して、ＤＶＤ系列の光ディスク及びＣＤ系列の光ディスクを互換採用でき、コリメーティングレンズ１５及びビーム整形デバイス２１が後述する第１光路変換デバイスと対物レンズ１９との間に配置される構造よりなっている。ここで、前記実施例と同一または類似した機能をする実質的に同じ部材は前記実施例と同一参照符号で表して、その反復的な説明は省略する。
【００５４】
　前記第１及び第２光源３１ａ、３１ｂのうちいずれか一つは例えば、６５５ｎｍ波長の光を出射し、他の一つは例えば、７８５ｎｍ波長の光を出射する。
【００５５】
　前記第１及び第２光源３１ａ、３１ｂから出射された光の収束及び／または発散を各々調節するために本発明の第４実施例による光ピックアップは、図６に示したように、２つの光学素子３３ａ、３３ｂを含むことができる。
【００５６】
　コリメーティングレンズ１５や光源３１ａ、３１ｂとコリメーティングレンズ１５との間に位置した他の光学部品は波長によって屈折率が異なるために、このような波長による屈折率差に起因して第１及び第２光源３１ａ、３１ｂから出射された相異なる波長の光の光路長に差が生じ、これによって光が収束したり発散する。しかし、図６に示したような２つの光源３１ａ、３１ｂと一つのコリメーティングレンズ１５とを具備する構造で、第１及び第２光源３１ａ、３１ｂから出射された光の収束及び／または発散を調節しなければならない場合、コリメーティングレンズ１５を動かすことはできないために、光の収束及び／または発散を調節するための光学素子３３ａ、３３ｂを具備することが望ましい。
【００５７】
　ここで、図６には第１及び第２光源３１ａ、３１ｂから出射された光の収束及び／または発散を各々調節するために２つの光学素子３３ａ、３３ｂを具備する例が図示されているが、第１及び第２光源３１ａ、３１ｂから出射された光のうちいずれか光の収束及び／または発散を調節するように一つの光学素子を具備することも可能である。
【００５８】
　例えば、本発明による光ピックアップは２つの光源を具備してＣＤ系列の光ディスクのうち少なくとも一部及びＤＶＤ系列の光ディスクのうち少なくとも一部を互換採用でき、ＤＶＤ用光に対しては収束及び／または発散を調節しない固定型であり、ＣＤ用光に対しては収束及び／または発散を調節する構造であることもある。
【００５９】
　一方、図６にはグレーティング２２と光学素子３３ａとが別々になっている例を図示しているが、前記グレーティング２２及び光学素子３３ａは一体型に形成されることもある。
【００６０】
　一方、本発明の第４実施例による光ピックアップは、第１光源３３ａから出射された光の進行経路を変換するための第１光路変換デバイスと、第２光源３３ｂから出射された光の進行経路を変換するための第２光路変換デバイスとを具備する。図６では第１光路変換デバイスとしてビームスプリッタキューブ４３を具備し、第２光路変換デバイスとしてプレート型ビームスプリッタ４５を具備した例を示す。
【００６１】
　図６のように第２光路変換デバイスとしてプレート型ビームスプリッタ４５を具備する場合には、前記実施例と同じく、光ディスク１０で反射されて進行する光にプレート型ビームスプリッタ４５を透過しつつ発生するコマ収差を消去できるように、凹レンズ２７を前記プレート型ビームスプリッタ４５と反対方向に傾けて配置することが望ましい。
【００６２】
　以上のような本発明の第２ないし第４実施例による光ピックアップでも、コリメーティングレンズ１５として本発明の第１実施例のように短い焦点距離を有するレンズを適用することが可能である。
【００６３】
　一方、図７ないし図９は、以上のような本発明の第２ないし第４実施例による光ピックアップに適用できるビーム整形デバイス２１の第１ないし第３実施例を示す。本発明による光ピックアップのビーム整形デバイス２１としては、図７ないし図９に示したビーム整形デバイス５１、５３、５５を具備でき、図７ないし図９に示した構造以外にも本技術分野で公知の多様な構造のビーム整形デバイスが適用できる。
【００６４】
　ここで、図８に示したビーム整形デバイス５３は反射ミラーとして機能するので、これを適用した本発明による光ピックアップは、ビーム整形デバイス５３を反射ミラー１７の位置に位置させて、反射ミラー１７を除去した構造で形成できる。
【００６５】
　以上のような実施例は本発明による光ピックアップの光学的構成の具体例を表すものに過ぎず、本発明がこのような実施例に限定されず、本発明による光ピックアップの光学的構成は本発明の技術的思想の範囲内で多様に変形できる。
【００６６】
　また、以上では本発明による光ピックアップがコリメーティングレンズを具備する有限光学系であって、光学素子として光の収束及び／または発散を調節することによって平行光の管理が可能であると説明したが、本発明がこれに限定されない。すなわち、本発明による光ピックアップは、光の収束及び／または発散を調節する光学素子を具備する有限光学系構造でありうる。また、本発明の光学素子は、光の収束及び／または発散を調節し、必要に応じて収差をわざわざ発生させる構造でもありうる。
【産業上の利用可能性】
【００６７】
　本発明による光ピックアップは、焦点距離が短いコリメーティングレンズを有するスリム型光ピックアップや、ビーム整形デバイスのような光学部品を適用して光の収束及び／または発散による収差発生影響度が大きくて特別な収差特性管理を必要とする光ピックアップ及びこのような光ピックアップを採用した光記録及び／または再生機器用に適している。
【図面の簡単な説明】
【００６８】
【図１】光源の発光点とコリメーティングレンズ間の距離による従来の光の収束、発散の調節を示した図面である。
【図２】本発明の望ましい第１実施例による光ピックアップの主要構成を概略的に示した図面である。
【図３】図２の光学素子として使われるホログラム素子のホログラムパターンを概略的に示した平面図である。
【図４】本発明の第２実施例による光ピックアップの光学的構成を示した図面である。
【図５】本発明の第３実施例による光ピックアップの光学的構成を示した図面である。
【図６】本発明の第４実施例による光ピックアップの光学的構成を示した図面である。
【図７】本発明による光ピックアップに適用可能なビーム整形デバイスの実施例を示した図面である。
【図８】本発明による光ピックアップに適用可能なビーム整形デバイスの実施例を示した図面である。
【図９】本発明による光ピックアップに適用可能なビーム整形デバイスの実施例を示した図面である。
【符号の説明】
【００６９】
　１０　光ディスク
　１１　光源
　１３　光学素子
　１５　コリメーティングレンズ
　１７　反射ミラー
　１９　対物レンズ
【図１】
2004079163.tif 000003
【図２】
2004079163.tif 000004
【図３】
2004079163.tif 000005
【図４】
2004079163.tif 000006
【図５】
2004079163.tif 000007
【図６】
2004079163.tif 000008
【図７】
2004079163.tif 000009
【図８】
2004079163.tif 000010
【図９】
2004079163.tif 000011